(57)【要約】【課題】ケーブルダクトに対する仮設の足場を不要にし、しかも歩廊を片持ち状に支持する梁の負荷を軽減した、架構の歩廊構造を提供する。【解決手段】架構１の側部に沿ってその外方に延出して設けられた歩廊２を有する架構の歩廊構造である。架構１に片持ち状に設けられて架構１の側部から延出する複数の第１の梁６と、第１の梁６の外側端部上に架け渡されて第１の梁６間を連結する第２の梁７とを有する支持梁５と、第２の梁７と架構１側との間に架け渡された歩廊２とを備える。歩廊２と第１の梁６との間にケーブルダクト１１が配設されている。歩廊２は少なくとも一部が開閉可能に形成されている。第２の梁７は、調整材９と梁本体１０とを有し、調整材９は梁本体１０の長さ方向に沿って連続することなく不連続に複数配置されている。【選択図】図２
2013104274.tif 000002
【特許請求の範囲】
【請求項１】
架構の側部に沿って該側部の外方に延出して設けられた歩廊を有する架構の歩廊構造であって、
前記架構に片持ち状に設けられて該架構の側部から延出する複数の第１の梁と、該第１の梁の外側端部上に架け渡されて該第１の梁間を連結する第２の梁とを有する支持梁と、
前記支持梁の前記第２の梁と前記架構側との間に架け渡された歩廊と、を備え、
前記歩廊と前記第１の梁との間にケーブルダクトが配設され、
前記歩廊は、該歩廊上から前記ケーブルダクトに対する処理が可能となるように、少なくとも一部が開閉可能に形成され、
前記第２の梁は、高さ調整を行う調整材と前記第１の梁の外側端部上に架け渡される梁本体とを有し、前記調整材は前記梁本体の長さ方向に沿って連続することなく不連続に複数配置されていることを特徴とする架構の歩廊構造。
【請求項２】
前記支持梁は、前記架構の側部と前記第２の梁との間に、前記第１の梁の中間部上に架け渡されて該第１の梁間を連結する第３の梁を有しており、
前記歩廊は、前記支持梁の前記第３の梁と前記架構側との間に架け渡された第１の歩廊と、前記第２の梁と前記第３の梁との間に架け渡された第２の歩廊と、を有し、これら第１の歩廊および第２の歩廊は、該歩廊上から前記ケーブルダクトに対する処理が可能となるように、少なくとも一部が開閉可能に形成されていることを特徴とする請求項１記載の架構の歩廊構造。
【請求項３】
前記第３の梁は、高さ調整を行う調整材と前記第１の梁の外側端部上に架け渡される梁本体とを有し、前記調整材は前記梁本体の長さ方向に沿って連続することなく不連続に複数配置されていることを特徴とする請求項１又は２に記載の架構の歩廊構造。
【発明の詳細な説明】
【技術分野】
【０００１】
本発明は、架構の歩廊構造に関する。
【背景技術】
【０００２】
従来、例えばＬＮＧやＬＰＧ等の低温タンクのプラント設備では、各種配管や計器、計装、電気配線等をまとめて収容するケーブルダクトが、架構上に直接据付けられ、あるいはダクトサポートに収容されて架構上に配置されている。このような架構では、各種メンテナンス等を行う必要上、架構の側部の外方に延出して歩廊が設けられている。
【０００３】
このような架構においては、ケーブルダクト内の配管や配線等を増設したり、ケーブルダクトを新設したり、あるいは計器や計装等のメンテナンスを行う場合に、架構上に配置されたケーブルダクトに対して歩廊からのアクセスを可能にするため、新たに仮設の足場を組む必要がある。しかし、このように増設や新設、メンテナンスのたびに歩廊からケーブルダクトまで足場を組むのでは、工事が大がかりとなり、時間的にもコスト的にもロスが多くなるため、その改善が求められている。
【０００４】
特許文献１には、屋上に設けられた配管（空調用配管）を収容した配管カバー設備の上に、歩廊を設けた技術が開示されている。また、特許文献２には、空調用配管や電気ケーブル等の配管を集合状態で配設する場合において、点検者が歩行可能な歩廊用として用いられる直線型の化粧ダクトが開示されている。さらに、特許文献３には、歩廊の下方空間を利用して構成されたダクト部が開示されている。
【先行技術文献】
【特許文献】
【０００５】
【特許文献１】特開平８−１５８６１８号公報
【特許文献２】特開２００８−３２０８０号公報
【特許文献３】特開２００１−１４１２６３号公報
【発明の概要】
【発明が解決しようとする課題】
【０００６】
そこで、前記架構においても、ケーブルダクトを歩廊の下方に配置することで、増設や新設、メンテナンスのたびに歩廊からケーブルダクトまで足場を組む必要を無くし、時間的、コスト的なロスを抑えることが考えられる。
しかしながら、前記架構における歩廊は、架構の側部の外方に延出して配置されており、したがって架構に片持ち状に設けられた梁上に形成されているため、このような歩廊の下方にケーブルダクトを配置すると、前記梁への負荷が増大し、配置するケーブルダクトの重さや歩廊上への機材の持ち込みが制限されてしまう。
【０００７】
本発明は前記事情に鑑みてなされたもので、その目的とするところは、ケーブルダクトに対する仮設の足場を不要にし、しかも歩廊を片持ち状に支持する梁の負荷を軽減した、架構の歩廊構造を提供することにある。
【課題を解決するための手段】
【０００８】
本発明の架構の歩廊構造は、架構の側部に沿って該側部の外方に延出して設けられた歩廊を有する架構の歩廊構造であって、
前記架構に片持ち状に設けられて該架構の側部から延出する複数の第１の梁と、該第１の梁の外側端部上に架け渡されて該第１の梁間を連結する第２の梁とを有する支持梁と、
前記支持梁の前記第２の梁と前記架構側との間に架け渡された歩廊と、を備え、
前記歩廊と前記第１の梁との間にケーブルダクトが配設され、
前記歩廊は、該歩廊上から前記ケーブルダクトに対する処理が可能となるように、少なくとも一部が開閉可能に形成され、
前記第２の梁は、高さ調整を行う調整材と前記第１の梁の外側端部上に架け渡される梁本体とを有し、前記調整材は前記梁本体の長さ方向に沿って連続することなく不連続に複数配置されていることを特徴とする。
【０００９】
また、前記架構の歩廊構造において、前記支持梁は、前記架構の側部と前記第２の梁との間に、前記第１の梁の中間部上に架け渡されて該第１の梁間を連結する第３の梁を有しており、前記歩廊は、前記支持梁の前記第３の梁と前記架構側との間に架け渡された第１の歩廊と、前記第２の梁と前記第３の梁との間に架け渡された第２の歩廊と、を有し、これら第１の歩廊および第２の歩廊は、該歩廊上から前記ケーブルダクトに対する処理が可能となるように、少なくとも一部が開閉可能に形成されていることが好ましい。
【００１０】
また、前記架構の歩廊構造において、前記第３の梁は、高さ調整を行う調整材と前記第１の梁の外側端部上に架け渡される梁本体とを有し、前記調整材は前記梁本体の長さ方向に沿って連続することなく不連続に複数配置されていることが好ましい。
【発明の効果】
【００１１】
本発明の架構の歩廊構造によれば、歩廊と第１の梁との間にケーブルダクトを配設し、歩廊を、該歩廊上から前記ケーブルダクトに対する処理が可能となるように、少なくとも一部を開閉可能に形成しているので、歩廊の一部を開くことで歩廊上からケーブルダクトに対する処理を直接行うことができる。したがって、ケーブルダクトについての増設や新設、メンテナンスのたびに仮設の足場を組む必要を無くなり、時間的、コスト的なロスを無くすことができる。
【００１２】
また、第１の梁の外側端部上に架け渡した第２の梁を調整材と梁本体とで形成し、調整材を、梁本体の長さ方向に沿って連続させることなく不連続に複数配置しているので、調整材を梁本体に比べて部分的に間引くことで第２の梁を軽量化することができる。したがって、片持ち状に形成される第１の梁の外側にかかる負荷を軽減し、支持梁上に配置するケーブルダクトの重さや歩廊上への機材の持ち込みなどの制限を大幅に緩めることができる。
【図面の簡単な説明】
【００１３】
【図１】本発明に係る架構の歩廊構造の一実施形態を示す概略構成図である。
【図２】図１の要部斜視図である。
【図３】（ａ）は支持梁の平面図、（ｂ）は第２の梁の側面図である。
【発明を実施するための形態】
【００１４】
以下、本発明に係る架構の歩廊構造を詳しく説明する。なお、以下の図面においては、各部材を認識可能な大きさとするために、各部材の縮尺を適宜変更している。
図１は、本発明に係る架構の歩廊構造の一実施形態を示す図であり、図１中符号１は、架構、２は歩廊である。架構１は、本実施形態ではＬＮＧ等の低温タンクのプラント設備に設けられたもので、柱や梁、ブレース等によって組み立てられた骨組みからなっている。架構１を形成する柱や梁等は、例えばＨ形鋼やＩ形鋼からなっている。
【００１５】
架構１は、例えばＬＮＧ等の低温タンク（図示せず）の近傍に配置されたもので、該低温タンクに接続する配管３や各種制御系の計装類（図示せず）等を、梁４上に配置している。配管３としては、ＬＮＧ等の貯蔵物を低温タンクに供給しまたは排出するためのものや、窒素等の不活性ガスの供給を行うためのものなどがある。また、これら配管３や前記した各種制御系の計装類（図示せず）等には、分岐して設けられた配管や、計装類に付随する計器類、さらには電力線（パワーケーブル）等の各種配線などが接続されており、これらは一括して後述するケーブルダクトに収容されている。
【００１６】
なお、従来では、ケーブルダクトは架構１の最上部の梁４ａ上に配置されており、したがって歩廊２から直接アクセスすることができず、必要時に仮設の足場を組んで対処していた。
架構１の側部には、該側部に沿って該側部の外方に延出して歩廊２が設けられている。歩廊２は、図２に示すように支持梁５上に配置されたもので、多数のグレーチィングＧが並列配置されて形成されている。
【００１７】
支持梁５は、図３（ａ）に示すように架構１に片持ち状に設けられて該架構１の側部から延出する複数の第１の梁６と、該第１の梁６の外側端部上に架け渡されて該第１の梁６、６間を連結する第２の梁７とを有して形成されている。また、本実施形態では、支持梁５は架構１の側部と第２の梁７との間に、第１の梁６の中間部上に架け渡されて該第１の梁６、６間を連結する第３の梁８を有している。
【００１８】
第１の梁６、第３の梁８は、本実施形態ではＨ形鋼やＩ形鋼からなっている。ただし、リップみぞ形鋼等の軽量形鋼からなっていてもよい。
第２の梁７は、図３（ｂ）に示すように高さ調整を行う調整材９と、これら調整材９上に配置された梁本体１０とを有して構成されている。梁本体１０は、本実施形態では調整材９を介して第１の梁６の外側端部上に架け渡されたもので、架構２の側部に沿って配置され、したがって第１の梁６に直交して配置されて、これら第１の梁６、６間を連結するように構成されている。このような梁本体１０は、Ｈ形鋼やＩ形鋼、あるいはリップみぞ形鋼等の軽量形鋼からなっている。
【００１９】
調整材９は、例えば図３（ｂ）に示すような軽量形鋼であるリップみぞ形鋼によって形成されたもので、梁本体１０の長さ方向に沿って連続することなく、不連続な状態で複数配置されている。すなわち、調整材９は、リップみぞ形鋼がその長さ方向に短く切断され、切断された各パーツ９ａが第１の梁６上に固定されており、これら各パーツ９ａが全ての第１の梁６上に配置固定されたことによって形成されている。
【００２０】
このような構成からなる調整材９は、第１の梁６と歩廊２との間の間隔を所望の間隔にするべく、第１の梁６と梁本体１０との間に配置されたものである。すなわち、第２の梁を梁本体１０のみで構成しようとした場合、梁本体１０は長さ方向に連続しているためその重量が重くなり、したがって架構１に片持ち状に設けられた第１の梁６に対して大きな負荷（荷重）を与えてしまう。そこで、本実施形態では、第２の梁７を梁本体１０と調整材９とで構成し、調整材９を複数のパーツ９ａで構成するとともに、これら複数のパーツ９ａを連続させることなく不連続に配置している。このようにパーツ９ａ間を間引いた調整材９を用いることで、第２の梁７全体の軽量化を図り、第１の梁６に対する負荷を軽減している。
【００２１】
第２の梁７の高さ、すなわち調整材９と梁本体１０の高さとの和は、２００ｍｍ〜３００ｍｍ程度とされる。なお、この第２の梁７の高さ位置（高さレベル）は、架構１の高さ位置（高さレベル）と同じになるように、予め第１の梁６の高さ位置（高さレベル）が設定されている。第１の梁６に対する調整材９の連結、固定は、ボルト止め及び溶接によってなされている。また、調整材９に対する梁本体１０の連結、固定も、同様にボルト止め及び溶接によってなされている。
【００２２】
第３の梁８は、図２、図３（ａ）に示すように架構１の側部と第２の梁７との間をほぼ２等分する位置に配置されたもので、本実施形態では前記したようにＨ形鋼やＩ形鋼等からなっている。この第３の梁８は、前記梁本体１０と同様に架構２の側部に沿って配置され、したがって第１の梁６に直交して配置されて、これら第１の梁６、６間を連結するように構成されている。第３の梁８の第１の梁６に対する連結、固定も、ボルト止め及び溶接によってなされている。なお、第３の梁８は、その高さが前記第２の梁７の高さと同じに形成されている。
【００２３】
第１の梁６上には、架構１の側部に沿って、すなわち第２の梁７や第３の梁８の長さ方向に沿ってケーブルダクト１１が配設されている。本実施形態では、架構１の側部と第３の梁８との間、および第３の梁８と第２の梁７との間にそれぞれケーブルダクト１１が配設されている。
【００２４】
ケーブルダクト１１は、図２に示すようにケース状のダクトトレイ１２とこれの開口を覆う蓋１３とからなるもので、前述したように内部に各種配管や、計器類、計装類、さらには各種配線などが収容されている。具体的には、前記配管３から分岐した配管（図示せず）や、圧力計、温度計等の計器類、さらには各種制御装置などの計装類や、電力線（パワーケーブル）などの各種配線が収容されている。
【００２５】
ダクトトレイ１２は、内部の収容空間を連続させるべく、架構１の側部に沿って連続して形成されている。一方、蓋１３は、所望の箇所のみを開けて内部に収容された配管等の収容物に対する処理を可能にするため、ダクトトレイ１２の長さ方向において多数に分割されて形成されている。すなわち、蓋１３は、ダクトトレイ１２の長さ方向において、５０ｃｍ〜１ｍ程度の長さで独立して開閉可能に形成された多数の蓋パーツ（図示せず）からなっており、これら蓋パーツが隙間なくダクトトレイ１２の長さ方向に配置されている。このような構成により、ダクトトレイ１２は所望する箇所のみを開けて内部の収容物に対する処理が行えるようになっている。
【００２６】
なお、ダクトトレイ１２は例えばボルトによって第１の梁６に着脱可能に固定されている。また、蓋１３には各蓋パーツ毎に取っ手（図示せず）が設けられており、取っ手によって蓋パーツの開閉を容易に行えるようになっている。ケーブルダクト１１は、その高さが例えば１００ｍｍ〜１５０ｍｍ程度であり、したがって第２の梁７や第３の梁８の高さより充分に低くなっている。これにより、ケーブルダクト１１は第１の梁６と歩廊２との間に形成される収容空間内に、支障なく収容されている。
【００２７】
なお、本実施形態では前記したように第１の梁６上に直接ケーブルダクト１１を配置するようにしたが、例えば第１の梁６上に薄い鉄板やグレーチィングを載置固定し、その上にケーブルダクト１１を配置するようにしてもよい。第１の梁６上に鉄板やグレーチィングを配置することで、ケーブルダクト１１に対して処理を行った際に、誤って工具や蓋パーツ等を落下させてしまうことを防止することができる。なお、蓋パーツについては、ダクトトレイ１２に対して蝶番で連結しておくのが好ましく、このように構成することで、その落下を防止することができる。
【００２８】
歩廊２は、前述したように多数のグレーチィングが並列配置されて形成されたもので、本実施形態では、図２に示すように第３の梁８と架構１との間に架け渡された第１の歩廊２ａと、第２の梁７と第３の梁８との間に架け渡された第２の歩廊２ｂとからなっている。すなわち、本実施形態の歩廊２は、架構１側に配設されたケーブルダクト１１に対応する第１の歩廊２ａと、第２の梁７側に配設されたケーブルダクト１１に対応する第２の歩廊２ｂとからなっている。
【００２９】
これら第１の歩廊２ａ、第２の歩廊２ｂはいずれも、その長さ方向、すなわち架構１の側部に沿って多数のグレーチィングＧが並列配置されて形成されている。グレーチィングＧは、鋼材を格子状に組んで形成された矩形状のもので、本実施形態では長さ１０００ｍｍ、幅４００ｍｍ程度、重さ１０ｋｇ程度に形成されている。これらグレーチィングＧは、架構１や第３の梁８、第２の梁７にボルト止めされたことにより、着脱可能に固定されている。
【００３０】
したがって、これらグレーチィングＧは、ボルトを外すことで支持梁５側から取り外すことができ、これによって開くこと、つまり開閉が可能になっている。
また、これらグレーチィングＧは、例えば一方の側が蝶番によって第３の梁８に固定され、開閉可能に構成されていてもよく、あるいは、他方の側が蝶番によって架構１や第２の梁７に固定され、開閉可能に構成されていてもよい。
【００３１】
このように各グレーチィングＧはそれぞれ開閉可能になっているため、歩廊２上にいる作業者は、その下に配置されているケーブルダクト１１に対する処理が可能になっている。すなわち、所望の位置のグレーチィングＧを開くことで、その下のケーブルダクト１１に対して、開いたグレーチィングＧに隣接するグレーチィングＧ上から直接処理することが可能になっている。
【００３２】
また、歩廊２の両側には、歩廊２からの落下を防止するための手摺り１４が配設されている。これら手摺り１４は、架構１の側部上、および第２の梁７の梁本体１０上に配置され、ボルト止めや溶接によって固定されている。
【００３３】
このような構成からなる架構の歩廊構造にあっては、歩廊２と第１の梁６との間にケーブルダクト１１を配設し、歩廊２を、該歩廊２上からケーブルダクト１１に対する処理が可能となるように開閉可能に形成しているので、歩廊２の一部を開くことで歩廊２上からケーブルダクト１１に対する処理を直接行うことができる。したがって、ケーブルダクト１１についてその収容物の増設や新設、メンテナンスの際に、仮設の足場を組むことなく、歩廊２上から直接目的とする処理を行うことができる。よって、仮設の足場を必要としていた従来に比べ、時間的、コスト的なロスを無くすことができる。
【００３４】
また、第１の梁６の外側端部上に架け渡した第２の梁７を調整材９と梁本体１０とで形成し、調整材９を、梁本体１０の長さ方向に沿って連続させることなく不連続に複数配置しているので、調整材９を梁本体１０に比べて部分的に間引くことで第２の梁７を軽量化することができる。したがって、片持ち状に形成される第１の梁６の外側にかかる負荷を軽減し、支持梁５上に配置するケーブルダクト１１の重さや歩廊２上への機材の持ち込みなどの制限を大幅に緩めることができる。
【００３５】
また、架構１の側部と第２の梁７との間に第３の梁８を設け、歩廊２を、第３の梁８と架構１側との間に架け渡された第１の歩廊２ａと、第２の梁７と第３の梁８との間に架け渡された第２の歩廊２ｂとによって構成しているので、例えば第１の歩廊２ａ側のケーブルダクト１１の所望箇所に対してメンテナンス等の処理を行いたい場合に、この所望箇所に対応するグレーチィングＧを開き、開いたグレーチィングＧに隣接するグレーチィングＧ上、すなわち第２の歩廊２ｂ側のグレーチィングＧ上から、ケーブルダクト１１の所望箇所に対して直接処理を行うことができる。したがって、所望箇所のケーブルダクト１１に対して比較的近距離から処理を行うことができるため、処理を容易にしかも迅速に行うことができる。
【００３６】
また、従来では架構１の最上部の梁４ａ上にケーブルダクト１１を配置していたのに対し、本実施形態では歩廊２の下方にケーブルダクト１１を配置しているので、例えば梁４上に配置していた配管３を最上部の梁４ａ上に配置することができるなど、梁４ａ上の空間を自由に有効利用することができる。したがって、架構１における各種配管等の設計自由度を高めることができる。
また、第３の梁８を設け、歩廊２の下にケーブルダクト１１を２系統配置できるようにしたので、ケーブルダクト１１内に収容する収容物を例えば配管系と配線系とを別にするなど適宜に分類分けすることにより、メンテナンス等の作業性を向上することができる。
【００３７】
なお、本発明は前記実施形態に限定されることなく、本発明の主旨を逸脱しない範囲で種々の変更が可能である。
例えば、前記実施形態では、第３の梁８をＨ形鋼やＩ形鋼などからなる連続した梁としたが、この第３の梁８についても、第２の梁７と同様に高さ調整を行う調整材と、第１の梁６の中間部上に架け渡される梁本体とによって構成するとともに、調整材を、梁本体の長さ方向に沿って連続することなく不連続に複数配置して構成してもよい。このように調整材を梁本体に比べて部分的に間引くことで、第３の梁８についてもその軽量化を図ることができる。したがって、片持ち状に形成される第１の梁６にかかる負荷（荷重）を軽減し、支持梁５上に配置するケーブルダクト１１の重さや歩廊２上への機材の持ち込みなどの制限を大幅に緩めることができる。
【００３８】
また、第２の梁７やこれと同様に構成した場合の第３の梁８については、調整材９と梁本体１０との位置関係を逆にして、第１の梁６側に梁本体１０を配置し、その上に調整材９を配置してもよい。
また、本発明では、第３の梁８を配置することなく、したがって架構１と第２の梁７との間にグレーチィングＧを架け渡すことにより、歩廊２を形成してもよい。
また、前記実施形態では、歩廊２を構成するグレーチィングＧを架構１や第２の梁７などに対して着脱可能にし、これによって歩廊２を開閉可能としたが、例えばグレーチィングＧに開閉可能な窓部を設け、この窓部を開けることでケーブルダクト１１に対する処理を行えるようにしてもよい。
【００３９】
また、前記支持梁５については、これを補強するため、図１中二点鎖線で示すように架構１の側部から斜めにブレース１５を設け、該ブレース１５の一端側で第１の梁６の外側端部を支持するようにしてもよい。
また、本発明の架構の歩廊構造は、低温タンクのプラント設備に設けられた架構に限定されることなく、低温タンク以外の各種のプラント設備や、各種の電気計装設備における架構の歩廊構造にも適用可能である。
【符号の説明】
【００４０】
１…架構、２…歩廊、２ａ…第１の歩廊、２ｂ…第２の歩廊、５…支持梁、６…第１の梁、７…第２の梁、８…第３の梁、９…調整材、１０…梁本体、１１…ケーブルダクト、Ｇ…グレーチィング
【図１】
2013104274.tif 000003
【図２】
2013104274.tif 000004
【図３】
2013104274.tif 000005